(57)【要約】【課題】封緘部で接着力を調整するためにパターン状に塗布する、接着剤と接着しないニスと、表面加飾で表面グロスニスをはじかせて、マット感を得るためのニスを同一のニスにして、塗布加工を１回で行い、工程を短縮し、コストを下げることのできる紙製容器を提供する。【解決手段】紙を基材とし、封緘部がホットメルト接着剤で貼着された紙製容器であって、紙製容器の外表面になる部分には、絵柄印刷層２とパターン状の撥液性ニス層３と表面グロスニス層４がこの順に塗布され、表面グロスニス層は撥液性ニス層上ではじかれて、斑点状に点在した表面加飾部を有し、封緘部には、パターン状の撥液性ニス層とホットメルト接着剤層がこの順に塗布され、ホットメルト接着剤層と撥液性ニス層の間が剥離可能となっている。【選択図】図４
2015040068.tif 000002
【特許請求の範囲】
【請求項１】
紙を基材とし、封緘部がホットメルト接着剤で貼着された紙製容器であって、
該紙製容器の外表面になる部分には、絵柄印刷層とパターン状の撥液性ニス層と表面グロスニス層がこの順に塗布され、前記表面グロスニス層は前記撥液性ニス層上ではじかれて、斑点状に点在した表面加飾部を有し、
前記封緘部には、パターン状の前記撥液性ニス層とホットメルト接着剤層がこの順に塗布され、前記ホットメルト接着剤層と前記撥液性ニス層の間が剥離可能となっていることを特徴とする紙製容器。
【発明の詳細な説明】
【技術分野】
【０００１】
本発明は、紙製容器に関するものである。特に、マット部と光沢部のある表面加飾がされて、封緘部が接着剤で貼着された紙箱などの紙製容器に関するものである。
【背景技術】
【０００２】
従来、高級紙箱などの外面にマット感のある印刷表現を行う場合は、オレフィン系、あるいはアルキッド系合成樹脂などの合成樹脂系や、シリカ系、カオリン系など無機材料系のマット剤を適量添加したマットニスを印刷面に設け、マット剤がニスの表面に凹凸を付け光沢を抑えることにより行っていた。
【０００３】
しかし、このマットニスは耐摩擦性が弱くマットニスが擦れることによって光沢が出てきてしまう欠点が有った。そのため、耐摩擦性が高くマット感のある印刷表現方法が求められていた。
【０００４】
このような耐摩擦性が高くマット感の得られる印刷表現のために、印刷層を有する基材上に印刷層の絵柄と同調して撥液性を有するニス層を設け、少なくともこの撥液性を有するニス層上に紫外線硬化型グロスニス層を設けた印刷物が用いられるようになってきた（特許文献１）。
【０００５】
この印刷物では、撥液性を有するニス層により紫外線硬化型ハイグロスニスが弾かれた部分で紫外線硬化型ハイグロスニスが凝集し斑点状になりマット感を与え、撥液性を有するニス層のない部分では、紫外線硬化型ハイグロスニスが平滑に塗布されて光沢感が得られると同時に、耐摩耗性が著しく向上する。
【０００６】
このような印刷物で、紙箱などの紙製容器を作る場合、接着剤などで貼着部などを貼り合せて製造するものがある。この貼り合せ部が封緘部にある場合、接着する部分を格子状にしたり、円形に抜いたりしたパターンして、封緘性と開封性を調整することがある。
【０００７】
この接着する部分のパターンを形成するために、接着剤と接着しないニスをパターン状に塗布しておいて、その上に接着剤を塗布する。このようにすると剥がすときには、接着剤と接着しないニスの間は接着していないので、接着しないニスを塗布してある部分が接着しない部分となり、接着する部分をパターン状にすることができる。
【０００８】
このような紙製容器を作るための接着剤と接着しないニスと、印刷表現のための撥液性を有するニスは、別々に塗布していたが、そのためには版が別々に必要であり、また、加工も別工程で行われていた。例えば、接着剤と接着しないニスと撥液性を有するニスの塗布加工を印刷で行う場合、それぞれの版を作って、印刷機の２色分のユニットを使用しなければならなかった。
【０００９】
公知文献を以下に示す。
【先行技術文献】
【特許文献】
【００１０】
【特許文献１】特開２００４−１１４６５４号公報
【発明の概要】
【発明が解決しようとする課題】
【００１１】
本発明は上記のような事情に鑑みてなされたもので、封緘部で接着力を調整するためにパターン状に塗布する、接着剤と接着しないニスと、表面加飾で表面グロスニスをはじかせて、マット感を得るためのニスを同一のニスにして、塗布加工を１回で行い、工程を短縮し、コストを下げることのできる紙製容器を提供することを課題としている。
【課題を解決するための手段】
【００１２】
本発明は係る課題に鑑みなされたものであり、請求項１の発明は、紙を基材とし、封緘部がホットメルト接着剤で貼着された紙製容器であって、
該紙製容器の外表面になる部分には、絵柄印刷層とパターン状の撥液性ニス層と表面グロスニス層がこの順に塗布され、前記表面グロスニス層は前記撥液性ニス層上ではじかれて、斑点状に点在した表面加飾部を有し、
前記封緘部には、パターン状の前記撥液性ニス層とホットメルト接着剤層がこの順に塗布され、前記ホットメルト接着剤層と前記撥液性ニス層の間が剥離可能となっていることを特徴とする紙製容器である。
【発明の効果】
【００１３】
本発明の紙製容器は、封緘部で接着力を調整するために設ける、接着剤と接着しないニスと、印刷表現のための撥液性を有するニスを、同一の撥液性ニスにしているので、工程を短縮し、コストを下げることができる。
【図面の簡単な説明】
【００１４】
【図１】本発明の紙製容器の一例を斜視で示した説明図である。
【図２】本発明の紙製容器の一例の展開図である。
【図３】本発明の紙製容器の一例を組み立てる状態を模式的に示した説明図である。
【図４】（Ａ）本発明の紙製容器の一例の外表面部の断面を模式的に示した説明図である。（Ｂ）本発明の紙製容器の一例の封緘部の断面を模式的に示した説明図である。
【発明を実施するための形態】
【００１５】
以下、本発明を実施するための形態につき説明する。
図１は、本発明の紙製容器の一例を斜視で示した説明図、図２は、本発明の紙製容器の一例の展開図、図３は、本発明の紙製容器の一例を組み立てる状態を模式的に示した説明図である。
【００１６】
本例の紙製容器１００は、図１の斜視図に示すように、紙箱である。基材には、板紙などの紙を使用している。
【００１７】
図２の展開図、図４の状態を示す説明図のように、紙製容器１００は身１０と蓋２０からなっている。身１０は、底面板１１と、底面板１１の端部から立ち上がった、身前側面板１２と、身左側面板１３と、身右側面板１４と、身後側面板１５とからなっている。
【００１８】
身右側面板１３と身左側面板１４のそれぞれの両端には貼着板１６、１６、１６、１６が設けられ、隣接する身前側面板１２や身後側面板１５の内面側に貼られて身１０立体形状を維持させている。
【００１９】
蓋２０は、天面板２１と、天面板２１の端部から下方に向けて設けられた、蓋前側面板２２と、蓋左側面板２３と、蓋右側面板２４とからなっている。そして、天面板２１の一端が身後側面板１５と接続していて、この接続部がヒンジとなって開け閉めできるようになっている。
【００２０】
蓋前面板の両端には貼着板２５、２５が設けられていて、それぞれ、蓋左側面板２３と
、蓋右側面板２４の内面側に貼られて蓋２０の立体形状を維持させている。蓋２０の蓋前側面板２２と、蓋左側面板２３と、蓋右側面板２４には、それぞれを上下に分離できるように、小さな切断線が未切断部を介して線状に並んだ易切断分離線２６、２７、２８が設けられている。また、開封のきっかけになるように、易切断分離線２６の中央部分から、蓋前側面板２２の下端に至る易切断線２９が設けられている。
【００２１】
身１０には、蓋２０の易切断分離線２６、２７、２８の下になる部分に、ホットメルト接着剤が塗布された接着剤塗布部１７が設けられている。身前側面板１２と身左側面板１３と身右側面板１４では、撥液性ニス塗布部１８が接着剤塗布部１７の下に塗布されていて、この部分では撥液性ニスと接着剤が剥離可能になっている。図では、本来、見えない接着剤塗布部１７の下の撥液性ニス塗布部１８も描いている。
【００２２】
この身前側面板１２と身左側面板１３と身右側面板１４の接着剤塗布部１７で、蓋２０の蓋前側面板２２と蓋左側面板２３と蓋右側面板２４に接着されて、封緘され封緘部となっている。
【００２３】
この封緘部では、パターン状に塗布された撥液性ニスとホットメルト接着剤との間が剥離可能になっているので、この撥液性ニスのパターン形状により、身前側面板１２と身左側面板１３と身右側面板１４の蓋前側面板２２と蓋左側面板２３と蓋右側面板２４との接着力が調整され、剥がしやすくなっている。
【００２４】
この紙製容器１００を開けるには、易切断線２９をきっかけとして、易切断分離線２６を左右に切断し、易切断分離線２７および易切断分離線２８を切断して、蓋前側面板２２と蓋左側面板２３と蓋右側面板２４の下側を切り取る。
【００２５】
この下側の部分は、ホットメルト接着剤で身前側面板１２と身左側面板１３と身右側面板１４に接着しているが、
接着剤塗布部１７でも、撥液性ニスが下塗りされた撥液性ニス塗布部１８では、接着剤が剥離可能であるので、接着力が調整されているので、剥がすことができ、取り去ることができる。
【００２６】
このように、蓋前側面板２２と蓋左側面板２３と蓋右側面板２４の下側を切り取ると、紙製容器１００は開封され、天面板２１と身後側面板１５の接続している折り目がヒンジとなって、蓋２０を持ち上げて開くことができる。
【００２７】
図４（Ａ）は、本発明の紙製容器の一例の外表面部の断面を模式的に示した説明図である。（Ｂ）は、本発明の紙製容器の一例の封緘部の断面を模式的に示した説明図である。
【００２８】
紙製容器１００の外表面、特に、天面板２１の外表面や、蓋前側面板２２、蓋左側面板２３、蓋右側面板２４の外表面には、部分的にあるいは全面に表面加飾がされている。この表面加飾でマット感のあるマット部３１と光沢感のある光沢部３２をそれぞれ部分的に設けてある。
【００２９】
このマット部３１と光沢部３２が隣接して設けられた部分では、図４（Ａ）のように、基材の紙層１の上に、絵柄印刷層２が積層されていて、この絵柄印刷層２の上に撥液性ニス層３がパターン状に塗布されて設けられ、更にその上に、表面グロスニス層４が塗布されて設けられている。
【００３０】
表面グロスニス層４は、パターン状の撥液性ニス層３のある部分では、撥液性ニスによりはじかれて斑点状に点在して、外観上マット感のあるマット部３１になる。また、撥液
性ニス層３のない部分では、はじかれることなく均一に塗布されて、光沢感のある光沢部３２となる。
【００３１】
一方、紙製容器１００の身前側面板１２と身左側面板１３と身右側面板１４のホットメルト接着剤が塗布され、接着剤塗布部１７が設けられた封緘部では、図４（Ｂ）のように、紙層１の上に、絵柄印刷層２は設けても、設けなくても良いが、撥液性ニスを塗布して撥液性ニス層３をパターン状に設ける。
【００３２】
この撥液性ニス層３を含めて上に、ホットメルト接着剤を塗布し、ホットメルト接着剤層５を設けている。すると、撥液性ニス層３のある部分では、ホットメルト接着剤は、剥離可能に積層されているので、ホットメルト接着剤で貼着した部分を剥がすと、撥液性ニスとホットメルト接着剤の間で容易に剥がれ、貼着した接着力を調整することができる。
【００３３】
本例の紙製容器１００の製造方法について以下説明する。
【００３４】
紙層１の紙のおもて面にオフセット印刷により、絵柄印刷層２を設ける。更に、撥液性ニス層３をパターン状に、できれば見当を合わせるために同じ印刷機により、オフセット印刷で設ける。尚、撥液性ニス層３は紙製容器１００の外表面のみではなく、封緘部にも同一のニスを用いて同時に設ける。
【００３５】
更に、表面グロスニスを塗布して、表面グロスニス層４を設ける。このとき、パターン状の撥液性ニス層３のある部分では、表面グロスニスは撥液性ニスによりはじかれて斑点状に点在して、この部分は、外観上マット感のあるマット部３１になる。また、撥液性ニス層３のない部分では、はじかれることなく均一に塗布されて、光沢感のある光沢部３２となる。
【００３６】
次に、打ち抜き加工により、図２の展開図のようなブランクを作成し、封緘部や貼着板１６、１６、１６、１６、貼着板２５、２５にホットメルト接着剤を塗布して、接着剤塗布部１７を設ける。
【００３７】
このとき、封緘部の身前側面板１２、身左側面板１３、身右側面板１４には、撥液性ニス層３がパターン状に設けられているので、接着剤塗布部１７を塗布しても、撥液性ニス層３のあるところでは、接着剤が剥離可能に積層されている。
【００３８】
ホットメルト接着剤を塗布した後、身前側面板１２、身左側面板１３、身右側面板１４を底面板１１に垂直になるように立てて、貼着板１６、１６、１６、１６を身前側面板１２と身後側面板１５のそれぞれの裏面にホットメルト接着剤を介して貼着させる。
【００３９】
次に、天面板２１を倒して、蓋前側面板２２を身前側面板１２に貼着し、貼着板２５、２５を折り曲げ、蓋左側面板２３、蓋右側面板２４をそれぞれ、貼着板２５、２５、および、身左側面板１３、身右側面板１４に貼着させ、製函する。
【００４０】
絵柄印刷層２はオフセット印刷インキによりオフセット印刷にて設けられる。特に紫外線硬化型のインキが好ましく使用される。また、撥液性ニス層３に用いられる撥液性ニスには、シリコーン・ワックス系の添加剤が、はじき剤として添加され、主成分がアクリル系エステルモノマーやオゴマーからなる紫外線硬化型のニスが好ましく用いられる。
【００４１】
表面グロスニス層４に用いられる表面グロスニスとしては、一般的にオフセット印刷で用いられる紫外線硬化型の表面グロスニスが用いられる。ホットメルト接着剤層５に用いるホットメルト接着剤は、特に限定されないがエチレン・ビニルアルコール系のホットメ
ルト接着剤が好ましく使用できる。
【００４２】
以上のように、本発明の紙製容器は、封緘部で接着力を調整するためにパターン状に設ける接着剤と接着しないニスと、表面加飾で表面グロスニスをはじかせて斑点に分散させマット調にするニスが、同一の撥液性ニスで形成されるので、工程の短縮と、コストダウンができる。
【符号の説明】
【００４３】
１００・・・紙製容器
１０・・・身
１１・・・底面板
１２・・・身前側面板
１３・・・身左側面板
１４・・・身右側面板
１５・・・身後側面板
１６、１６、１６、１６・・・貼着板
１７・・・接着剤塗布部
１８・・・撥液性ニス塗布部
２０・・・蓋
２１・・・天面板
２２・・・蓋前側面板
２３・・・蓋左側面板
２４・・・蓋右側面板
２５、２５・・・貼着板
２６、２７、２８・・・易切断分離線
２９・・・易切断線
３１・・・マット部
３２・・・光沢部
１・・・紙層
２・・・絵柄印刷層
３・・・撥液性ニス層
４・・・表面グロスニス層
５・・・ホットメルト接着剤層
【図１】
2015040068.tif 000003
【図２】
2015040068.tif 000004
【図３】
2015040068.tif 000005
【図４】
2015040068.tif 000006